【事件の表示】
　特願２００７−１８６１７９「バイオセンサー」拒絶査定不服審判事件〔平成１９年１１月２９日出願公開、特開２００７−３０９９４７〕について、次のとおり審決する。
【結　論】
　本件審判の請求は、成り立たない。
【理　由】
第１　手続の経緯・本願発明
　本件は、本願は、平成１４年８月２２日（パリ条約による優先権主張　平成１３年８月２９日、米国（ＵＳ））に出願された特許出願（２００２年特許願２４１７４５号）の一部を、特許法第４４条第１項の規定により、平成１９年７月１７日に新たな特許出願（２００７年特許願第１８６１７９号。以下、「本件出願」という。）として出願したものであって、平成２２年７月２２日付けで、拒絶査定（発送日：同月２７日）がなされたところ、拒絶査定不服審判が同年１１月２６日に請求されたものであり、当審で、平成２３年９月３０日付けで拒絶の理由を通知したところ、意見書が平成２４年４月４日に提出されたものである。
　本件出願の請求項１〜５に係る発明は、平成２２年１月６日提出の手続補正書により補正された特許請求の範囲の記載からみて、その特許請求の範囲の請求項１〜５に記載された事項により特定されるとおりのものであって、その請求項１に係る発明（以下、「本願発明」という。）は次のとおりのものと認める。
　
「【請求項１】
　支持用基体と、該支持用基体の上に配置され、少なくとも２つの電極とコードパターンとを定めるために分断されており、該コードパターンは複数のパッド位置または支持用基体の露出部分を含み、それぞれの該パッド位置はギャップによって周囲の導電体から分離された導電体からなるパッドの一つを含む導電体とを含むバイオセンサーと、
　該パッド位置１個あたり２個の電気接点を含むコネクターを含むメーターとを含み、
　該バイオセンサーが該メーターに挿入されると、該コネクターはそれぞれの該パッド位置に接触し、該メーターは、該パッドの存在を確認するために、それぞれの該パッド位置において導通状態を確認する電子回路を有する、システム。」
  　 
第２　当審の拒絶理由 
　一方、当審において平成２３年９月３０日付けで通知した拒絶の理由の概要は、本件出願の請求項１〜５に係る発明は、本件出願の優先権主張の日前に頒布された特開２０００−１９１４７号公報（以下、「引用刊行物Ａ」という。）、国際公開第９９／０５５１６号（以下、「引用刊行物Ｂ」という。）、及び、国際公開第００／３３０７４号（以下、「引用刊行物Ｃ」という。）に記載された発明に基づいて当業者が容易に発明をすることできたものであるから、特許法第２９条第２項の規定により特許を受けることができない、というものである。
　
第３　引用刊行物記載の発明
（３Ａ）本件出願の優先権主張の日前に頒布された上記引用刊行物Ａには、次の事項が図面とともに記載されている。（下線は、当審で付加したものである。以下、同様である。） 
 　 
（３Ａ−１）「【０００１】 
【発明の属する技術分野】本発明は
バイオセンサなどの反応生成物測定装置に関する
 　 
（３Ａ−２）「【００１５】
酵素センサの対象物検知部１００は、基板１１０と、この基板１１０に上に形成された第１のカーボン電極１０１と、該第１のカーボン電極１０１と対向する第２のカーボン電極１０２と
【００１６】
第１のカーボン電極１０１からコモン端子部分１０５が延伸しており、このコモン端子部分１０５の先端に、この対象物検知部１００の識別用のロット判別用電極１０３が設けられている
【００１７】図４を参照して、図解した酵素センサの対象物検知部１００の製造方法を述べる。 
（ａ）まず、
ＰＥＴなどの基板１１０を準備し、基板１１０の上に、第１のカーボン電極１０１、コモン端子部分１０５、ロット判別用電極１０３とを一体的に印刷する
 　　 
（３Ａ−３）「【００１８】（ｂ）次いで、
ロット判別用電極１０３部分を区分けして、不要部分をパターンカットする
 　　 
（３Ａ−４）「【００２３】信号処理部２００ 
　図１（Ａ）、（Ｂ）および図２に図解したように、酵素センサの
信号処理部２００は
接続部（コネクタ部）２１０
【００２４】
コネクタ部２１０は、対象物検知部１００を嵌め込んで、組み合わせたとき、対象物検知部１００のコモン端子部分１０５および端子部分１０４と接触する（当接する）検知結果用コンタクトピン２１１、２１２と、対象物検知部１００のロット判別用電極１０３のそれぞれの区分と接触する識別データ読み込み用コンタクトピン２１３〜２１６とを有する
・・・ 
【００２６】
演算処理部２２０は、電流電圧変換回路２２２、増幅回路２２４、演算部２２６および表示部２２８を有する
演算部２２６はたとえば、マイクロコンピュータを用いて演算が行われる
【００２７】対象物検知部１００と信号処理部２００との組み合わせ、および、動作 
上述した対象物検知部１００と信号処理部２００とを準備して、図２に図解したように、対象物検知部１００のロット判別用電極１０３部分から信号処理部２００のコネクタ部２１０に向けて差し込み、第１のカーボン電極１０１に接続されているコモン端子部分１０５と第２のカーボン電極１０２に接続されている端子部分１０４を検知結果用コンタクトピン２１１、２１２に電気的に接続させ、ロット判別用電極１０３の区分１０３Ａ〜１０３Ｄを識別データ読み込み用コンタクトピン２１３〜２１６に電気的に接続させる。 
【００２８】その結果、信号処理部２００の演算処理部２２０において、検知結果用コンタクトピン２１１、２１２から酵素反応部分１０６の検知結果、および、識別データ読み込み用コンタクトピン２１３〜２１６からロット判別用電極１０３のパターンが入力される。演算処理部２２０は、まず、識別データ読み込み用コンタクトピン２１３〜２１６からロット判別用電極１０３の識別パターンを読み取り、事前に入力されている対象物検知部１００のロットごとの補正データを選択する。・・・」 
 　　　 
（３Ａ−５）図２及び図４には、不要部分をパターンカットされていない破線で区分されたロット判別用電極１０３の３つの区分（１０３Ｄ，１０３Ｃ，１０３Ｂ）は、第１のカーボン電極から延伸したアースされたコモン端子部分１０５（コモン端子部分１０５はアースされたピン２１１を介してアースされている）と接続していることで、アースされていることが描かれており、また、図２には、各パッド位置がアースされている（大地に導通）か、いないかは、コンタクトピン２１３，２１４，２１５，２１６をそれぞれ、４つのパッド位置（１０３Ａ，１０３Ｂ，１０３Ｃ，１０３Ｄ）に接触させて、各ピンに生じた電位を調べることで行うことが描かれている。 
 　 
　上記引用刊行物Ａの摘記事項（３Ａ−１）〜（３Ａ−５）の記載を参照すると、上記引用刊行物Ａには、　 
「基板１１０と、基板１１０の上に、第１のカーボン電極１０１、第２のカーボン電極１０２、及び、第１のカーボン電極１０１から延伸しているコモン端子部分１０５、このコモン端子部分１０５の先端に、区分１０３Ａ〜１０３Ｄに区分けすることができるとともに、不要部分をパターンカットできる対象物検知部１００の識別用のロット判別用電極１０３とが配置された酵素センサの対象物検知部１００と、 
　コモン端子部分１０５と、第２のカーボン電極１０２の端子部分１０４と、ロット判別用電極１０３の区分１０３Ａ〜１０３Ｄとにそれぞれ電気的に接続する、コンタクトピン２１１と、コンタクトピン２１２と、コンタクトピン２１３〜２１６を有するコネクタ部２１０、及び、演算処理部２２０とを含む信号処理部２００とを有し、 
　対象物検知部１００のロット判別用電極１０３部分から信号処理部２００のコネクタ部２１０に向けて差し込むと、 
　演算処理部２２０は、ロット判別用電極１０３の区分１０３Ａ〜１０３Ｄが識別データ読み込み用コンタクトピン２１３〜２１６に電気的に接続し、識別データ読み込み用コンタクトピン２１３〜２１６からロット判別用電極１０３の識別パターンを読み取り、事前に入力されている対象物検知部１００のロットごとの補正データを選択する 
　反応生成物測定装置。」 
　の発明（以下、「引用発明」という。）が記載されている。　 
 　　 
（３Ｂ）本件出願の優先権主張の日前に頒布された上記引用刊行物Ｂには、次の事項が図面とともに記載されている。 
 　 
（３Ｂ−１）「技術分野 
　本発明は、いわゆる
バイオセンサを利用して溶液中の特定成分の濃度を測定するための濃度測定器、該濃度測定器に使用する試験片
に関する
 　 
（３Ｂ−２）「又、濃度測定器及び試験片は、上述した図１９及び図２０に示す形態に限定されるものではなく、例えば
図２１から図２４に示され以下に説明する
　このような濃度測定器３０１に装着される試験片３２１における端子の形成に関する基本的思想は上述の試験片２７１の場合に同様であるが、上述の試験片２７１では種別用電極２５２及び種別用電極２５３のそれぞれに対応して種別用端子２７５及び種別用端子２７６を設けたのに対し、
当該試験片３２１では種別用電極３０２及び種別用電極３０３に対して一つの種別用端子３２５を設けた点で異なる
上記６４通りの上記適合試験片装着変化を得るために、上記種別用端子３２５を、上記装着方向Ｉに沿って６箇所に設けることができるようにしている
　このように構成された濃度測定器３０１における動作を説明する。 
　
試験片３２１を濃度測定器３０１に装着した装着開始時点では
上記種別用電極３０２，３０３は上記種別用端子３２５と電気的に接続され
　上記種別用端子３２５によって、
種別用電極３０２と種別用電極３０３とが電気的に接続されることで、種別用電極３０３に接続されている接続線３０６には１０ＫΩの抵抗及び接続線３０５を介して電源電圧が印加され、接続線３０６の電位はハイレベル電位となる。一方、当該試験片３２１が上記装着方向Ｉに沿ってさらに移動し、例えば符号３３３に示す線上に種別用電極３０２と種別用電極３０３とが位置したときのように種別用端子３２５が形成されていないときには、種別用電極３０２と種別用電極３０３との電気的接続はなされない。このような場合、上記接続線３０６は１００ＫΩの抵抗を介して接地されるので、上記接続線３０６の電位はローレベル電位となる
装着開始から符号３３７にて示す線上に正極電極１０２、３つの種別用電極３０２〜３０４、及び負極電極１０３が位置する装着完了までの試験片３２１の移動に伴い、上記接続線３０６には、ハイレベル電位→ハイレベル電位→ローレベル電位→ハイレベル電位→ハイレベル電位→ハイレベル電位→ローレベル電位の電位変化が生じる
接続線３０６に電位変化を生じさせる
予め接続線３０６の電位変化パターンに対応して
検量線情報を選択し抽出する
　次に、
図２３
　一方、上記濃度測定器３５１に装着される試験片３７１には、上述の試験片３２１の場合と同様に、正極端子３２３、負極端子３２４、種別用端子３７５等が形成されている。当該試験片３７１では、負極端子３２４と一体的に形成され当該試験片３７１の濃度測定器３５１への装着完了を検出する装着完了検出端子３７８は、符号３８７にて示す上記装着完了位置に種別用電極３５２が位置したときに該種別用電極３５２と電気的に接続するように形成されている。その他の構成は上述した試験片３２１の場合に同様である。
　このように構成される濃度測定器３５１における動作を以下に説明するが、基本的に上述の濃度測定器３０１の動作に同じであるので、ここでは相違点のみを説明する。
　即ち、例えば、試験片３７１が濃度測定器３５１に装着開始した時点では、種別用電極３５３と接地電極３６０とは符号３８１にて示す線上に位置し、種別用端子３７５と電気的に接続されている。よって、ＣＰＵ３５８にて電位変化が検出される接続線３５６の電位は、
種別用端子３７５を介して種別用電極３５３と接地電極３６０とが電気的に接続されることから、接地電位となる
符号３８３にて示す線上に種別用電極３５３と接地電極３６０とが位置したときには、試験片３７１には種別用端子が形成されていないことから、上記接続線３５６の電位は上記＋５Ｖのハイレベル電位である
　このように本例の場合、上記装着開始から符号３８７にて示す線上に正極電極１０２、３つの種別用電極３５２〜３５４、接地電極３６０、及び負極電極１０３が位置する装着完了までの試験片３７１の移動に伴い、上記接続線３５６には、接地電位→接地電位→ハイレベル電位→接地電位→接地電位→接地電位→接地電位の電位変化が生じる。このように種別用端子３７５の形成の有無に応じて、上記装着開始から上記装着完了までの試験片３７１の移動に伴い、上記接続線３５６に電位変化を生じさせることができる。このような接続線３５６における電位変化パターンをＣＰＵ３５８が検出することで、ＣＰＵ３５８は、予め接続線３５６の電位変化パターンに対応して、記憶部３５９に記憶されている例えば上記検量線情報を選択し抽出する。その他の動作は、上述した濃度測定器２５１の場合に同様であるので、ここでの説明は省略する。」（明細書３９頁１０行〜４２頁２６行） 
 　 
（３Ｂ−３）「１．液体試料に反応する反応試薬と、上記反応試薬の反応に基づき上記
液体試料内の特定成分の濃度を電気的に検出するための正極端子
３２３
負極端子
３２４
装着され
　装着された上記試験片の種別を上記濃度測定器にて
判別するための種別用電極
３２５
３７５
正極電極及び上記負極電極とは別に備えた
 　 
（３Ｂ−４）図２２には、液体試料内の特定成分の濃度を電気的に検出するための正極端子３２３及び負極端子３２４とは独立して設けられるとともに、所定の位置に複数の種別用端子３２５が分離して設けられるか、形成されないことが描かれている。 
 　 
（３Ｃ）本件出願の優先権主張の日前に頒布された上記引用刊行物Ｃには、次の事項が図面とともに記載されている。（日本語訳はパテントファミリーの特表第２００２−５３１８２８号公報を用いた。） 
 　 
（３Ｃ−１）「SUMMARY OF THE INVENTION  
 　The present invention provides a multichemistry measuring device and diagnostic test strips which, in combination with the multichemistry measuring device, provide a multichemistry diagnostic testing system. The system enables a user to perform a multiplicity of different measurements on a sample by choosing one of a multiplicity of types of test strips, applying an amount of the sample to the test strip, inserting the test strip into a port of the measuring device, and receiving the test results from the device. The test strips and the port are adapted such that each type of test strip bears an indicator that is recognized by the port and that indicates to the measuring device which testing functionality is to be utilized. Therefore, the user is not required to manually reconfigure or switch the device between different functionalities, and a single port and a single measuring device may be employed with a multiplicity of different types of test strips.（日本語訳：（発明の要旨） 
　本発明は、多化学(multichemistry)測定デバイス、及び前記多化学測定デバイスと組合せて多化学診断試験システムを提供する診断試験片を提供する。前記システムにより、使用者は
複数のタイプの試験片の１つを選択
各タイプの試験片が該ポートにより認識され且ついずれの試験機能を利用すべきかを測定デバイスに示すインジケータを有するように作られている
 　 
（３Ｃ−２）「Thus, in one aspect, the invention relates to diagnostic test strips for analysis of a sample. The diagnostic test strips are adapted for use in combination with a measuring device having a test port. The measuring device is capable of performing a multiplicity of testing functionalities. In this aspect, the test strip comprises a support capable of releasably engaging the test port; at least one reaction area on the support for receiving the sample; and an indicator capable of interacting with the test port to select at least one of the multiplicity of testing functionalities of the measuring device. In one embodiment, the indicator comprises one or more electrically conductive contacts capable of engaging at least two electrically conductive pins within the test port. In such an embodiment, the electrically conductive contacts close at least one circuit between the at least two electrically conductive pins within the test port. In preferred embodiments, the electrically conductive indicator comprises a material selected from: carbon, gold, silver, platinum, nickel, palladium, titanium, copper, or lead. In preferred embodiments, the electrically conductive contacts comprise an electrically conductive printable ink.（日本語訳：よって、１つの態様で、本発明は試料分析のための診断試験片に関する。前記診断試験片は、試験ポートを有する測定デバイスと組合せて使用するのに適している。前記測定デバイスは複数の試験機能を実施し得る。この態様において、試験片は試験ポートと解放可能に係合し得る支持体、試料を受容するための前記支持体上の少なくとも１つの反応域、及び測定デバイスの複数の試験機能の少なくとも１つを選択すべく試験ポートと相互作用し得るインジケータを含む。１つの実施態様では、前記
インジケータは試験ポート内の少なくとも２つの導電性ピンと係合し得る１つ以上の導電性接触子を含む
導電性接触子により、試験ポート内の少なくとも２つの導電性ピンの間の少なくとも１つの回路が閉まる
導電性接触子は導電性印刷可能インクからなる
 　　 
（３Ｃ−３）「The invention provides measuring devices for performing assays for the accurate determination of the presence, concentration, or activity of one or more analytes in a sample applied to test strips adapted for use with the devices. The multichemistry measuring device and test strips of the invention have particular utility in fields including, but not limited to, clinical chemistry, chemical process control, and environmental testing. For example, the multichemistry measuring device and test strips can be used in clinical chemistry to determine the levels of particular analytes (e.g., glucose, cholesterol, urea, creatinine) in body fluids (e.g., whole blood, serum, urine), in environmental testing to determine the presence or concentration of pollutants (e.g., PCBs) or biohazards (e.g., bacteria, virus), or in chemical process control for monitoring the progress of a process by detecting the presence, concentration, or activity or various adducts, edducts,or other parameters (e.g., pH, salinity).（日本語訳：本発明は、測定デバイスと併用するのに適した試験片に適用した試料中の１つ以上のアナライトの存在、濃度または活性を正確に測定するためのアッセイを実施するための測定デバイスを提供する。本発明の
多化学測定デバイス及び試験片は
、体液（例えば、全血、血清、尿）中の特定アナライト（例えば、グルコース、コレステロール、尿素、クレアチニン）のレベルを測定するために臨床化学において
使用され得る
 　 
（３Ｃ−４）「Optically Detectable Indicator Patterns 
 　 As in the previous examples, the test strip is elongate and has a top major surface and a bottom major surface. A printed pattern is on the bottom major surface of the test strip. In this example, the test port has two optical sensors capable of detecting the presence or absence of a printed pattern at two different locations on the bottom major surface of the test strip by measuring absorbance and/or reflectance of light at those locations. As illustrated in FIG. 3 , this example allows for four (4) different configurations: (a) both locations off, (b) first location on and second location off, (c) first location off and second location on, and (d) both locations on.（日本語訳：光学的に検出可能なインジケータパターン 
上記実施例と同様に、試験片は細長く、上部主要表面及び下部主要表面を有する。試験片の下部主要表面上に印刷パターンが設けられている。この例では、試験ポートは、
試験片の下部主要表面上の２つの異なる位置での印刷パターンの存在または不在をその位置での吸光度及び／または反射率を測定する
図３に示すように、この例は４つの異なる構成、すなわち（ａ）両方の位置が「オフ」、（ｂ）第１位置が「オン」、第２位置が「オフ」、（ｃ）第１位置が「オフ」、第２位置が「オン」、及び（ｄ）両方の位置が「オン」を取り得る
 　 
（３Ｃ−５）「Resistance-based Indicators  
 　As in the previous examples, the test strip is elongate and has a top major surface and a bottom major surface. An indicator is on the bottom major surface of the test strip. In this example, the test port has two electrically conductive pins, which are bridged by the bottom major surface of the test strip when the test strip is releasably engaged in the test port. The measuring device is capable of measuring the resistance across the pins. The resistance measured can serve to indicate the type of test strip being used. If the support material is nonconductive, the lack of an additional indicator material can serve as a null indicator.（日本語訳：抵抗に基づくインジケータ  
上記例と同様に、試験片は細長く、上部主要表面及び下部主要表面を有する。試験片の下部主要表面上にインジケータが設けられている。この例では、試験ポートは、試験片を試験ポートに解放可能に係合すると試験片の下部主要表面によりブリッジされる２つの導電性ピンを有する。
測定デバイスはピンを横切る抵抗を測定し得る。測定した抵抗は使用した試験片のタイプを示すのに役立ち得る
 　　 
（３Ｃ−６）図３Ａ〜３Ｄには、試験片の下部主要表面上に２つの印刷パターンが、分離して設けることが描かれている。 
 　 
第４　本願発明と引用発明との対比・判断 
（４−ａ）本願発明と引用発明の対比
（i）引用発明の（ａ）「基板１１０」、（ｂ）「第１のカーボン電極１０１、第２のカーボン電極１０２」は、その構成・機能からみて、本願発明の（ａ’）「支持用基体」と、（ｂ’）「２つの電極」に相当する。 
　また、引用発明の「第１のカーボン電極１０１、第２のカーボン電極１０２」、と「識別用のロット判別用電極１０３」と、本願発明の「少なくとも２つの電極」と「コードパターン」とは、「支持用基体の上に配置され」る点で共通する。
　ところで、上記引用刊行物Ａの摘記事項（３Ａ−３）には、
「本実施の形態においては、ロット判別用電極１０３を４区域に区分しており、それぞれの区画を２の巾乗（べき乗）で表す。そうすると、０〜（２４ −１）＝０〜１５の１６通りの表現が可能となる。たとえば、図４に図解のように、下１桁をパターンカットした場合、２進数表記では『１，０，０，０』または『０，０，０，１』になるから、１６進数で『８』または『１』を意味する数値になる。本実施の形態においては、１６進数で『１』を意味することにする。」
　と記載されていることから、引用発明のロット判別用電極１０３の区分１０３Ａ〜１０３Ｄのそれぞれが不要部分をパターンカットされているかどうかにより、１６通りのコードパターンを定めていることは明らかである。 
　さらに、基板１１０上に、区分１０３Ａ〜１０３Ｄに区分けすることができる対象物検知部１００の識別用のロット判別用電極１０３が配置されていることから、区分けされた区分１０３Ａ〜１０３Ｄの不要部分をパターンカットされない区分は電極、すなわち導電体であり、不要部分をパターンカットされた区分が、基板１１０を露出した区分となることも自明な事項である。 
　他方、本願発明の「複数のパッド位置」の「導電体」または「支持用基体の露出部分」は支持用基体上で区分されて配置されてコードパターンを形成していることは明らかである。 
　そうすると、引用発明の「第１のカーボン電極１０１、第２のカーボン電極１０２、及び第１のカーボン電極１０１から延伸しているコモン端子部分１０５、このコモン端子部分１０５の先端に、不要部分をパターンカットして区分１０３Ａ〜１０３Ｄに区分けすることができる対象物検知部１００の識別用のロット判別用電極１０３」と、本願発明の「少なくとも２つの電極とコードパターンとを定めるために分断されており、該コードパターンは複数のパッド位置または支持用基体の露出部分を含み、それぞれの該パッド位置はギャップによって周囲の導電体から分離された導電体からなるパッドの一つを含む導電体とを含む」こととは、「２つの電極とコードパターンとを定めるための区分を有し、該コードパターンは複数のパッド位置または支持用基体の露出部分を含み、それぞれの該パッド位置は導電体とを含む」点で共通する。 
　また、上記引用刊行物Ａの摘記事項（３Ａ−１）には、
　「本発明はバイオセンサなどの反応生成物測定装置に関する。より特定的には、本発明は、信号処理部と反応生成処理部とが分離された反応生成物測定装置において、反応生成物検知部を交換可能にした反応生成物測定装置に関する。」
　と記載されていることから、引用発明の「基板１１０と、基板１１０の上に、第１のカーボン電極１０１、第２のカーボン電極１０２、及び、第１のカーボン電極１０１から延伸しているコモン端子部分１０５、このコモン端子部分１０５の先端に、区分１０３Ａ〜１０３Ｄに区分けすることができるとともに、不要部分をパターンカットできる対象物検知部１００の識別用のロット判別用電極１０３とが配置された酵素センサの対象物検知部１００」と、本願発明の「支持用基体と、該支持用基体の上に配置され、少なくとも２つの電極とコードパターンとを定めるために分断されており、該コードパターンは複数のパッド位置または支持用基体の露出部分を含み、それぞれの該パッド位置はギャップによって周囲の導電体から分離された導電体からなるパッドの一つを含む導電体とを含むバイオセンサー」とは、「２つの電極とコードパターンとを定めるための区分を有し、該コードパターンは複数のパッド位置または支持用基体の露出部分を含み、それぞれの該パッド位置は導電体とを含むバイオセンサー」である点で共通する。
 　 
（ii）引用発明の「信号処理部２００」の「コネクタ部２１０」に、対象物検知部１００のロット判別用電極１０３部分が差し込まれると、コネクタ部２１０の識別データ読み込み用コンタクトピン２１３〜２１６とロット判別用電極１０３の区分１０３Ａ〜１０３Ｄとが電気的に接続することから、引用発明の「コモン端子部分１０５と、第２のカーボン電極１０２の端子部分１０４と、ロット判別用電極１０３の区分１０３Ａ〜１０３Ｄとにそれぞれ電気的に接続する、コンタクトピン２１１と、コンタクトピン２１３〜２１６を有するコネクタ部２１０、及び、演算処理部２２０とを含む信号処理部２００」と本願発明の「該パッド位置１個あたり２個の電気接点を含むコネクターを含むメーター」とは、「パッド位置１個に対して電気接点を含むコネクターを含むメーター」である点で共通する。 
（iii）上記引用刊行物Ａの摘記事項（３Ａ−５）には、
「図２及び図４には、不要部分をパターンカットされていない破線で区分されたロット判別用電極１０３の３つの区分（１０３Ｄ，１０３Ｃ，１０３Ｂ）は、第１のカーボン電極から延伸したアースされたコモン端子部分１０５（コモン端子部分１０５はアースされたピン２１１を介してアースされている）と接続していることで、アースされている」
　ことが記載されていることから、引用発明の演算処理部２２０は、ロット判別用電極１０３の４つの区分がパターンカットされているかどうか、すなわち、各区分にロット判別用の電極が存在するか否かを、コネクタ部２１０の識別データ読み込み用コンタクトピン２１３〜２１６が、ロット判別用の電極１０３の各区分１０３Ａ〜１０３Ｄと電気的に接続されてアースされるか否かで確認していることは明らかである。 
　さらに、上記引用刊行物Ａの摘記事項（３Ａ−３）には、
「【００２６】演算処理部２２０は、電流電圧変換回路２２２、増幅回路２２４、演算部２２６および表示部２２８を有する。・・・種々の演算を行うため、演算部２２６はたとえば、マイクロコンピュータを用いて演算が行われる。」
　と記載されていることから、引用発明の「演算処理部２２０」が回路で構成されていることは明らかである。 
　そうすると、引用発明の「対象物検知部１００のロット判別用電極１０３部分から信号処理部２００のコネクタ部２１０に向けて差し込むと、」「ロット判別用電極１０３の区分１０３Ａ〜１０３Ｄが識別データ読み込み用コンタクトピン２１３〜２１６に電気的に接続し、識別データ読み込み用コンタクトピン２１３〜２１６からロット判別用電極１０３の識別パターンを読み取」る「演算処理部２２０」と、本願発明の「該バイオセンサーが該メーターに挿入されると、該コネクターはそれぞれの該パッド位置に接触し、該メーターは、該パッドの存在を確認するために、それぞれの該パッド位置において導通状態を確認する電子回路」とは、「該バイオセンサーが該メーターに挿入されると、該コネクターはそれぞれの該パッド位置に接触し、該メーターは、該パッドの存在を確認するために、それぞれの該パッド位置において導通状態を確認する回路」である点で共通する。 
 
（iv）引用発明の「反応生成物測定装置」が、本願発明の「システム」に相当する。 
 　 
　そうすると、本願発明と引用発明とは、 
「支持用基体と、該支持用基体の上に配置され、２つの電極とコードパターンとを定めるための区分を有し、該コードパターンは複数のパッド位置または支持用基体の露出部分を含み、それぞれの該パッド位置は導電体とを含むバイオセンサーと、 
　パッド位置１個に対して電気接点を含むコネクターを含むメーターとを含み、 
　該バイオセンサーが該メーターに挿入されると、該コネクターはそれぞれの該パッド位置に接触し、該メーターは、該パッドの存在を確認するために、それぞれの該パッド位置において導通状態を確認する回路を有する、システム。」点で一致し、次の相違点（あ）〜（う）で相違する。 
 　 
 ・相違点（あ） 
　支持用基体の上に配置され、２つの電極とコードパターンとを定めるための区分を有し、該コードパターンは複数のパッド位置または支持用基体の露出部分を含み、それぞれの該パッド位置は導電体が、本願発明では、「少なくとも２つの電極とコードパターンとを定めるために分断されており、該コードパターンは複数のパッド位置または支持用基体の露出部分を含み、それぞれの該パッド位置はギャップによって周囲の導電体から分離された導電体からなるパッドの一つを含む導電体」であるのに対して、引用発明では、基板１１０の上に配置され、第１のカーボン電極１０１から延伸しているコモン端子部分１０５の先端に、区分１０３Ａ〜１０３Ｄに区分けすることができるとともに、不要部分をパターンカットできる対象物検知部１００の識別用のロット判別用電極１０３である点。 
 　 
 ・相違点（い） 
　パッド位置１個に対して電気接点を含むコネクターを含むメーターが、本願発明では、「パッド位置１個あたり２個の電気接点を含むコネクターを含むメーター」であるのに対して、引用発明では、コモン端子部分１０５と、ロット判別用電極１０３の区分１０３Ａ〜１０３Ｄとにそれぞれ電気的に接続する、コンタクトピン２１１と、コンタクトピン２１３〜２１６を有するコネクタ部２１０を含む信号処理部２００である点。 
 　 
 ・相違点（う） 
　該バイオセンサーが該メーターに挿入されると、該コネクターはそれぞれの該パッド位置に接触し、該メーターは、該パッドの存在を確認するために、それぞれの該パッド位置において導通状態を確認する回路が、本願発明では「電子回路」であるのに対して、引用発明では、演算処理部２２０が、回路で構成されている点。
 　 
（４−ｂ）当審の判断 
 ・相違点（あ）及び相違点（い）について 
（ア−１） 
　バイオセンサにおいて、本願発明では、「少なくとも２つの電極」を有する構成であり、２つの電極の場合は、引用発明の「第１のカーボン電極１０１、第２のカーボン電極１０２」の２つのカーボン電極を有する構成と格別の差違は認められない。
　また、バイオセンサにおいて、対象物の検出以外の目的のために、対象物を検出する検出電極とは分離した異なる位置に、複数の導電体を分離して配置して、コードパターンを構成することは、周知である。 
　例えば、上記引用刊行物Ｂの摘記事項（３Ｂ−２）には、
「当該試験片３２１では種別用電極３０２及び種別用電極３０３に対して一つの種別用端子３２５を設けた点で異なる。又、
このように２つの種別用電極３０２及び種別用電極３０３に対して一つの種別用端子３２５を設けた
　と記載され、同（３Ｂ−４）には、
「液体試料内の特定成分の濃度を電気的に検出するための
正極端子３２３及び負極端子３２４とは独立して設けられるとともに、所定の位置に複数の種別用端子３２５が分離して設けられるか、形成されない
と記載されている。
　また、上記引用刊行物Ｃの摘記事項（３Ｃ−４）には、
「試験片の下部主要表面上に印刷パターンが設けられている。この例では、試験ポートは、試験片の下部主要表面上の２つの異なる位置での印刷パターンの存在または不在をその位置での吸光度及び／または反射率を測定することにより検出し得る２つのオプチカルセンサーを有する。図３に示すように、この例は４つの異なる構成、すなわち
（ａ）両方の位置が「オフ」、（ｂ）第１位置が「オン」、第２位置が「オフ」、（ｃ）第１位置が「オフ」、第２位置が「オン」、及び（ｄ）両方の位置が「オン」を取り得る
　と記載され、同（３Ｃ−５）には、
「抵抗に基づくインジケータ 上記例と同様に、試験片は細長く、上部主要表面及び下部主要表面を有する。試験片の下部主要表面上にインジケータが設けられている。この例では、試験ポートは、試験片を試験ポートに解放可能に係合すると試験片の下部主要表面によりブリッジされる２つの導電性ピンを有する。測定デバイスはピンを横切る抵抗を測定し得る。測定した抵抗は使用した試験片のタイプを示すのに役立ち得る。支持体材料が非導電性の場合には、追加のインジケータ材料の欠如が『零』インジケータとして役立ち得る。」
　と記載され、同（３Ｃ−６）には、
「図３Ａ〜３Ｄには、試
験片の下部主要表面上に２つの印刷パターンが、分離して設ける
　これらの記載によれば、抵抗に基づくインジケータは、「上記例と同様に」と記載されていることから、同（２Ｃ−４）の「試験片の下部主要表面上の２つの異なる位置での印刷パターンの存在または不在」と同様に、抵抗に基づくインジケータは、試験片の下部主要表面上の２つの異なる位置での印刷パターンの存在または不在を意味するとともに、試験片の下部主要表面上の２つの異なる位置に、分離して設けられていることは明らかであり、さらに、「追加のインジケータ材料の欠如が『零』インジケータとして役立ち得る。」と記載されていることから、抵抗に基づくインジケータが、所定の導電性を有することは自明な事項である。
　また、同（３Ｃ−４）には、
「この例は４つの異なる構成、すなわち（ａ）両方の位置が「オフ」、（ｂ）第１位置が「オン」、第２位置が「オフ」、（ｃ）第１位置が「オフ」、第２位置が「オン」、及び（ｄ）両方の位置が「オン」を取り得る。」
　と記載されていることから、２つの抵抗に基づくインジケータの存在または不在により、４通りのコードパターンが得られることも明らかである。 
　そうすると、引用発明と、上記周知例とはともに、バイオセンサにおいて、対象物の検出以外の目的のために、区分された導電体の存在の有無によりコードパターンを構成する点で共通することから、引用発明において、対象物の検出以外の目的のためのロット判別用電極１０３の区分１０３Ａ〜１０３Ｄが分離されないで形成されるとともに、対象物を検知するための第１のカーボン電極１０１から延伸したコモン端子部分１０５と接続されて形成する代わりに、周知例のごとく、対象物の検出する電極とは分離して配置されるとともに、対象物の検出以外の目的のための複数の導電体を分離して形成する構成を採用し、対象物の検出以外の目的のためのロット判別用電極１０３の区分１０３Ａ〜１０３Ｄをそれぞれ分離するとともに、第１のカーボン電極１０１から延伸したコモン端子部分１０５からも分離することにより、本願発明のごとく、支持用基体の上に配置され、少なくとも２つの電極とコードパターンとを定めるための区分を有し、該コードパターンは複数のパッド位置または支持用基体の露出部分を含み、それぞれの該パッド位置は導電体が、「２つの電極とコードパターンとを定めるために分断されており、該コードパターンは複数のパッド位置または支持用基体の露出部分を含み、それぞれの該パッド位置はギャップによって周囲の導電体から分離された導電体からなるパッドの一つを含む導電体」とすることは当業者が容易になし得るものである。（相違点（あ））
　
（ア−２）そして、周知例のごとく、バイオセンサにおいて、対象物の検出以外の目的のために、対象物を検出する検出電極とは分離した異なる位置に、複数の導電体を分離してコードパターンを配置する構成を採用した場合には、独立した１つの導電体、すなわち、１つの電極の有無を電気的導通により検出するためには、２つのコンタクトピンが必要であることは、例えば、上記引用刊行物Ｂの摘記事項（３Ｂ−２）に、
「
上記種別用端子３２５によって、種別用電極３０２と種別用電極３０３とが電気的に接続される
　と記載されているように、電気工学的にみて技術常識であり、さらに、引用発明では、ロット判別用電極１０３の区分１０３Ａ〜１０３Ｄのそれぞれの区分に応じて、識別データ読み込み用コンタクトピン２１３〜２１６が電気的に接続するように設けられていることから、分離したロット判別用電極１０３の区分１０３Ａ〜１０３Ｄのそれぞれに、２つのコンタクトピンを設けること、すなわち、本願発明のごとく、パッド位置１個に対して電気接点を含むコネクターを含むメーターが、「パッド位置１個あたり２個の電気接点を含むコネクターを含むメーター」であるように構成することは当然の設計的事項である。（相違点（い））
 　 
・相違点（う）について 
　引用発明の演算処理部２２０を構成する電流電圧変換回路、増幅回路及び表示部を電子回路で構成することは、例えば、特開平９−９７５５６号公報の図１にに記載されているように、周知である。 
　また、上記引用刊行物Ａの摘記事項（３Ａ−４）には、
「【００２６】・・・演算部２２６はたとえば、マイクロコンピュータを用いて演算が行われる。・・・【００２８】その結果、信号処理部２００の演算処理部２２０において、検知結果用コンタクトピン２１１、２１２から酵素反応部分１０６の検知結果、および、識別データ読み込み用コンタクトピン２１３〜２１６からロット判別用電極１０３のパターンが入力される。
演算処理部２２０は、まず、識別データ読み込み用コンタクトピン２１３〜２１６からロット判別用電極１０３の識別パターンを読み取り
　と記載されており、さらに、例えば、特開昭６３−２０６６４７号公報の３頁左上欄１４〜１５行には、
「・・・マイクロコンピュータ・・・等のデイジタル電子回路制御機器・・・」
　と記載されていることから、引用発明のマイクロコンピュータを用いて構成される演算部２２６が、電子回路で構成されているのは明らかである。 
　そうすると、引用発明において、ロット判別用電極１０３の区分１０３Ａ〜１０３Ｄが識別データ読み込み用コンタクトピン２１３〜２１６に電気的に接続し、識別データ読み込み用コンタクトピン２１３〜２１６からロット判別用電極１０３の識別パターンを読み取る演算処理部２２０を、電子回路で構成することは当業者が容易になし得るものである。 　
　　
　そして、本願発明によってもたらされる作用効果は、引用発明１及び周知の技術事項から予測される範囲内のものであって、格別のものではない。
　
　なお、拒絶査定不服審判の請求人は、当審において通知した拒絶の理由に対して提出した平成２４年４月４日付けの意見書において、
「刊行物Ａに記載の装置は、本願発明におけるコードパターンのパッド（パッド位置）に対応するロット判別用電極において、電極１個につき１個の電気接点しか考慮していない点、およびある位置における電極(パッド)の存在の有無を確認するのに他の電極位置における電気的接続を必要とする点において、本願発明に係るシステムとは相違し、本願発明よりも劣っているといえます。」旨の主張している。
　そこで、この請求人の主張について検討する。
　上記「・相違点（あ）及び相違点（い）について」の「（ア−１）」及び「（ア−２）」において検討したように、引用発明において、対象物の検出以外の目的のためのロット判別用電極１０３の区分１０３Ａ〜１０３Ｄが分離されないで形成されるとともに、対象物を検知するための第１のカーボン電極１０１から延伸したコモン端子部分１０５と接続されて形成する代わりに、周知例のごとく、対象物の検出する電極とは分離して配置されるとともに、対象物の検出以外の目的のための複数の導電体を分離して形成する構成を採用した場合には、独立した１つの導電体、すなわち、１つの電極の有無を電気的導通により検出するために、２つのコンタクトピンが必要であることは、上記引用刊行物Ｂの摘記事項（３Ｂ−２）に記載されているように、電気工学的にみて技術常識であることから、請求人の主張は採用できないものである。
　
　したがって、本願発明は、引用発明及び周知の技術事項に基づいて当業者が容易に発明をすることができたものである。　
 　　
第５　むすび
　以上のとおり、本願発明は、特許法第２９条第２項の規定により特許を受けることができないものであり、その余の請求項に係る発明を検討するまでもなく、当審が通知した上記拒絶の理由によって拒絶をすべきものである。
　よって、結論のとおり審決する。